(57)【要約】  災害時に避難階で戸閉待機しているかごに利用者が閉じ込められているか否かを容易に確認することができるエレベーターの乗場行先階入力装置を提供する。乗場行先階入力装置は、エレベーターが設けられた建築物の災害時の避難階として設定された階において前記エレベーターの乗場に設けられ、外部からの情報の入力を受け付ける情報入力部と、前記エレベーターの制御システムに信号を送信する信号送信部と、動作モードが前記建築物の災害情報に基づいた災害モードでない場合は前記情報入力部が前記エレベーターの行先階の情報の入力を受け付けた際に前記行先階を示す信号を前記信号送信部に送信させ、動作モードが前記災害モードである場合は前記情報入力部が情報の入力の受け付けを開始した際に前記乗場において前記エレベーターの戸開を促す信号を前記信号送信部に送信させる制御部と、を備えた。
2019064371.tif 000002
【特許請求の範囲】
【請求項１】
エレベーターが設けられた建築物の災害時の避難階として設定された階において前記エレベーターの乗場に設けられ、外部からの情報の入力を受け付ける情報入力部と、
前記エレベーターの制御システムに信号を送信する信号送信部と、
動作モードが前記建築物の災害情報に基づいた災害モードでない場合は前記情報入力部が前記エレベーターの行先階の情報の入力を受け付けた際に前記行先階を示す信号を前記信号送信部に送信させ、動作モードが前記災害モードである場合は前記情報入力部が情報の入力の受け付けを開始した際に前記乗場において前記エレベーターの戸開を促す信号を前記信号送信部に送信させる制御部と、
を備えたエレベーターの乗場行先階入力装置。
【請求項２】
前記情報入力部は、数字に対応したテンキー釦を備え、
前記制御部は、動作モードが前記災害モードでない場合は前記テンキー釦のいずれかの１つの釦が押された後に再びいずれかの釦が押されることなく予め設定された時間だけ経過した際に押された釦に対応した１桁の数に対応した行先階を示す信号を前記信号送信部に送信させ、動作モードが前記災害モードである場合は前記テンキー釦のいずれかの１つの釦が押された後に予め設定された時間だけ経過する前に前記乗場において前記エレベーターの戸開を促す信号を前記信号送信部に送信させる請求項１に記載のエレベーターの乗場行先階入力装置。
【請求項３】
前記情報入力部は、前記エレベーターの利用者が身障者である場合に当該身障者が押す身障者用釦を備え、
前記制御部は、動作モードが前記災害モードでない場合は前記身障者用釦が押された後に前記テンキー釦が押された際に身障者の行先階を示す信号を前記信号送信部に送信させ、動作モードが前記災害モードである場合は前記身障者用釦が押された際に前記乗場において前記エレベーターの戸開を促す信号を前記信号送信部に送信させる請求項２に記載のエレベーターの乗場行先階入力装置。
【請求項４】
前記情報入力部は、タグからの識別情報を読み取る読取器を備え、
前記制御部は、動作モードが前記災害モードでない場合は前記読取器がタグから識別情報を読み取った際に当該識別情報に対応した行先階を示す信号を前記信号送信部に送信させ、動作モードが前記災害モードである場合は前記読取器がタグから消防士の識別情報を読み取った際に前記乗場において前記エレベーターの戸開を促す信号を前記信号送信部に送信させる請求項１に記載のエレベーターの乗場行先階入力装置。
【請求項５】
前記情報入力部は、音声情報の入力を受け付けるマイクを備え、
前記制御部は、動作モードが前記災害モードでない場合は前記マイクが行先階の音声情報の入力を受け付けた際に当該行先階を示す信号を前記信号送信部に送信させ、動作モードが前記災害モードである場合が音声情報の入力の受け付けを開始した際に前記乗場において前記エレベーターの戸開を促す信号を前記信号送信部に送信させる請求項１に記載のエレベーターの乗場行先階入力装置。
【請求項６】
前記制御部は、動作モードが前記災害モードである場合に、前記情報入力部が情報の入力の受け付けを開始した際に前記乗場において前記エレベーターの戸の全開を促す信号を前記信号送信部に送信させる請求項１から請求項５のいずれか一項に記載のエレベーターの乗場行先階入力装置。
【請求項７】
前記制御部は、動作モードが前記災害モードである場合に、前記情報入力部が情報の入力の受け付けている間は前記乗場において前記エレベーターの戸開を促す情報を前記信号送信部に送信させ、前記情報入力部が情報の入力の受け付けなくなった際に前記乗場において当該エレベーターの戸開を促す情報の送信を前記信号送信部に停止させる請求項１から請求項５のいずれか一項に記載のエレベーターの乗場行先階入力装置。
【請求項８】
エレベーターが設けられた建築物の災害時の避難階として設定された階において前記エレベーターの乗場に設けられた乗場行先階入力装置の動作モードが前記建築物の災害情報に基づいて災害モードである状態において、前記乗場行先階入力装置が情報の入力の受け付けを開始することにより前記乗場において前記エレベーターの戸開を促す信号を送信した場合に、前記エレベーターのかごが前記乗場において戸閉待機している際は、前記乗場において前記エレベーターを戸開させる制御部、
を備えたエレベーターの制御システム。
【請求項９】
前記制御部は、前記乗場行先階入力装置が情報の入力の受け付けを開始することにより当該エレベーターの戸の全開を促す信号を送信した場合に、当該エレベーターの戸を全開させる請求項８に記載のエレベーターの制御システム。
【請求項１０】
前記制御部は、前記乗場行先階入力装置が情報の入力を受け付けていることにより前記乗場において前記エレベーターの戸開を促す情報を送信している場合に、当該エレベーターの戸を開く方向に動作させ、前記乗場行先階入力装置が情報の入力を受け付けなくなることにより前記乗場において前記エレベーターの戸開を促す信号の送信を停止している場合は、当該エレベーターの戸を閉じる方向に動作させる請求項８に記載のエレベーターの制御システム。
【請求項１１】
エレベーターが設けられた建築物の災害時の避難階として設定された階において前記エレベーターの乗場に設けられ、動作モードが前記建築物の災害情報に基づいた災害モードでない場合は前記エレベーターの行先階の情報の入力を受け付けた際に前記行先階を示す信号を送信し、動作モードが前記災害モードである場合は情報の入力の受け付けを開始した際に前記乗場において前記エレベーターの戸開を促す信号を送信する乗場行先階入力装置と、
前記乗場行先階入力装置の動作モードが災害モードである際に前記乗場行先階入力装置が情報の入力の受け付けを開始することにより前記乗場において前記エレベーターの戸開を促す信号を送信した場合に、前記エレベーターのかごが前記乗場において戸閉待機している際は、前記乗場において前記エレベーターを戸開させる制御システムと、
を備えたエレベーターシステム。
【発明の詳細な説明】
【技術分野】
【０００１】
この発明は、エレベーターの乗場行先階入力装置、エレベーターの制御システムおよびエレベーターシステムに関する。
【背景技術】
【０００２】
例えば、特許文献１は、エレベーターの乗場行先階入力装置を開示する。当該乗場行先階入力装置によれば、利用者は、自分が行く予定である階の登録の有無および自分が乗るべきかごを早く確認することができる。
【先行技術文献】
【特許文献】
【０００３】
【特許文献１】日本特開２００１−２８７８７６号公報
【発明の概要】
【発明が解決しようとする課題】
【０００４】
しかしながら、特許文献１に記載の乗場行先階入力装置においては、エレベーターが設けられた建築物において災害が発生した際のエレベーターの制御について考慮されていない。このため、災害時に避難階で戸閉待機しているかごに利用者が閉じ込められているか否かを確認することについても考慮されていない。【０００５】
この発明は、上述の課題を解決するためになされた。この発明の目的は、災害時に避難階で戸閉待機しているかごに利用者が閉じ込められているか否かを容易に確認することができるエレベーターの乗場行先階入力装置、エレベーターの制御システムおよびエレベーターシステムを提供することである。
【課題を解決するための手段】
【０００６】
この発明に係るエレベーターの乗場行先階入力装置は、エレベーターが設けられた建築物の災害時の避難階として設定された階において前記エレベーターの乗場に設けられ、外部からの情報の入力を受け付ける情報入力部と、前記エレベーターの制御システムに信号を送信する信号送信部と、動作モードが前記建築物の災害情報に基づいた災害モードでない場合は前記情報入力部が前記エレベーターの行先階の情報の入力を受け付けた際に前記行先階を示す信号を前記信号送信部に送信させ、動作モードが前記災害モードである場合は前記情報入力部が情報の入力の受け付けを開始した際に前記乗場において前記エレベーターの戸開を促す信号を前記信号送信部に送信させる制御部と、を備えた。【０００７】
この発明に係るエレベーターの制御システムは、エレベーターが設けられた建築物の災害時の避難階として設定された階において前記エレベーターの乗場に設けられた乗場行先階入力装置の動作モードが前記建築物の災害情報に基づいて災害モードである状態において、前記乗場行先階入力装置が情報の入力の受け付けを開始することにより前記乗場において前記エレベーターの戸開を促す信号を送信した場合に、前記エレベーターのかごが前記乗場において戸閉待機している際は、前記乗場において前記エレベーターを戸開させる制御部、を備えた。【０００８】
この発明に係るエレベーターシステムは、エレベーターが設けられた建築物の災害時の避難階として設定された階において前記エレベーターの乗場に設けられ、動作モードが前記建築物の災害情報に基づいた災害モードでない場合は前記エレベーターの行先階の情報の入力を受け付けた際に前記行先階を示す信号を送信し、動作モードが前記災害モードである場合は情報の入力の受け付けを開始した際に前記乗場において前記エレベーターの戸開を促す信号を送信する乗場行先階入力装置と、前記乗場行先階入力装置の動作モードが災害モードである際に前記乗場行先階入力装置が情報の入力の受け付けを開始することにより前記乗場において前記エレベーターの戸開を促す信号を送信した場合に、前記エレベーターのかごが前記乗場において戸閉待機している際は、前記乗場において前記エレベーターを戸開させる制御システムと、を備えた。
【発明の効果】
【０００９】
これらの発明によれば、乗場行先階入力装置の動作モードが災害モードである際に乗場行先階入力装置が情報の入力の受け付けを開始した際、乗場行先階入力装置は、避難階の乗場においてエレベーターの戸開を促す信号を送信する。このため、災害時に避難階で戸閉待機しているかごに利用者が閉じ込められているか否かを容易に確認することができる。
【図面の簡単な説明】
【００１０】
【図１】この発明の実態の形態１におけるエレベーターシステムの構成図である。
【図２】この発明の実態の形態１におけるエレベーターシステムの乗場行先階入力装置の構成図である。
【図３】この発明の実態の形態１におけるエレベーターシステムの制御システムの構成図である。
【図４】この発明の実態の形態１におけるエレベーターシステムの乗場行先階入力装置の動作の概要を説明するフローチャートである。
【図５】この発明の実態の形態１におけるエレベーターシステムの制御システムの動作の概要を説明するためのフローチャートである。
【図６】この発明の実態の形態１におけるエレベーターシステムの乗場行先階入力装置のハードウェア構成図である。
【発明を実施するための形態】
【００１１】
この発明を実施するための形態について添付の図面に従って説明する。なお、各図中、同一または相当する部分には同一の符号が付される。当該部分の重複説明は適宜に簡略化または省略する。
【００１２】
実施の形態１．
図１はこの発明の実態の形態１におけるエレベーターシステムの構成図である。
【００１３】
図１には、エレベーターシステムが模式的に示される。図１において、複数の災害検出器１の各々は、建築物の各階に設けられる。例えば、複数の災害検出器１の各々は、火災検出器（火災報知器）である。建築物においては、災害時の避難階が設定される。例えば、避難階は、建築物の内部と外部とを繋ぐ出入口が存在する１階に設定される。
【００１４】
エレベーターの昇降路２は、建築物の各階を貫く。エレベーターの複数の乗場３の各々は、昇降路２に対向するように、建築物の各階に設けられる。エレベーターの複数のかご４は、昇降路２の内部に設けられる。複数のかご４は、水平投影面上において重ならないように設けられる。複数のかご４は、図示されない巻上機の動力により昇降路２の内部において昇降し得るように設けられる。
【００１５】
複数の乗場３の各々において、複数の乗場ドア５の各々は、複数のかご４の各々に対応して設けられる。
【００１６】
複数のかごドア６の各々は、複数のかご４の各々に設けられる。
【００１７】
複数の乗場３の各々において、複数の乗場行先階入力装置７の一方は、最も左側の乗場ドア５と中央の乗場ドア５との間の壁面に設けられる。複数の乗場行先階入力装置７の他方は、最も右側の乗場ドア５と中央の乗場ドア５との間の壁面に設けられる。複数の乗場行先階入力装置７の各々は、情報入力部７ａと信号送信部７ｂと信号受信部７ｃと報知部７ｄと制御部７ｅとを備える。
【００１８】
複数のかご操作盤８の各々は、複数のかご４の各々に設けられる。例えば、複数のかご操作盤８は、戸閉釦８ａと戸開釦８ｂとを備える。
【００１９】
例えば、制御システム９は、建築物に設けられる。例えば、制御システム９は、昇降路２の上部に設けられる。例えば、制御システム９は、検出部９ａと信号受信部９ｂと信号送信部９ｃと制御部９ｄとを備える。
【００２０】
例えば、監視装置１０は、建築物に設けられる。例えば、監視装置１０は、建築物の監視室に設けられる。
【００２１】
建築物において、いずれの階でも災害が発生していない場合、いずれの階の災害検出器１も災害を検出しない。この際、監視装置１０は、災害を検出しない。この場合、監視装置１０は、災害情報を送信しない。
【００２２】
監視装置１０が災害情報を送信しない場合、制御システム９において、検出部９ａは、監視装置１０からの災害情報を受信しない。この場合、制御システム９の動作モードは、平常モードとなる。ここで、平常モードとは、建築物の災害情報に基づいた災害モードでないモードをいう。
【００２３】
この際、いずれかの乗場行先階入力装置７において、情報入力部７ａがエレベーターの利用者から行先階の情報の入力を受け付けると、制御部７ｅは、当該行先階に対応した行先呼びの信号を信号送信部７ｂに送信させる。具体的には、制御部７ｅは、当該乗場行先階入力装置７が設けられた階と当該行先階とを示す信号を信号送信部７ｂに送信させる。
【００２４】
制御システム９において、信号受信部９ｂは、当該乗場行先階入力装置７から当該乗場行先階入力装置７が設けられた階と当該行先階とを示す信号を受信する。制御部９ｄは、当該乗場行先階入力装置７が設けられた階に対応した乗場呼びと当該行先階に対応したかご呼びとに割り当てるかご４を決定する。制御部９ｄは、当該かご４を示す信号を信号送信部９ｃに送信させる。
【００２５】
当該乗場行先階入力装置７において、信号受信部７ｃは、制御システム９から当該かご４を示す信号を受信する。制御部７ｅは、当該かご４を示す情報を報知部７ｄに報知させる。
【００２６】
制御システム９において、制御部９ｄは、当該かご４を当該乗場呼びに応答させる。その結果、当該かご４は、利用者を乗せるために当該乗場行先階入力装置７が設けられた階に到着する。その後、制御部９ｄは、当該かご４を当該かご呼びに応答させる。その結果、当該かご４は、利用者を降ろすために当該行先階に到着する。
【００２７】
例えば、いずれかの階で災害が発生した場合、当該階の災害検出器１が災害を検出する。監視装置１０は、当該災害検出器１の検出結果に基づいて災害を検出する。この場合、監視装置１０は、災害情報を制御システム９へ送信する。
【００２８】
なお、ここでは災害検出器１が監視装置１０を経由して制御システム９へ災害情報を送信する場合を説明したが、手動スイッチで災害管制運転を行う場合もある。災害管制運転時は、災害検出器１から直接、制御システム９へ災害情報が送信される。
【００２９】
制御システム９において、検出部９ａは、監視装置１０から災害情報を受信する。この場合、制御システム９は、動作モードを災害モードに移行する。
【００３０】
この際、制御システム９において、制御部９ｄは、複数のかご４を避難階まで走行させる。その後、制御部９ｄは、避難階に到着したかご４の内部の利用者の避難を促すように当該かご４のかごドア６と当該かご４に対応した乗場ドア５とを予め設定された時間だけ開く。その後、制御部９ｄは、当該かご４を戸閉待機させる。具体的には、制御部９ｄは、当該かごドア６と当該乗場ドア５とを閉じて当該かご４を避難階で待機させる。
【００３１】
制御システム９の動作モードが災害モードに移行した際、制御部９ｄは、避難階の複数の乗場行先階入力装置７の各々に向けて災害信号を信号送信部９ｃに送信させる。
【００３２】
避難階の複数の乗場行先階入力装置７の各々において、信号受信部７ｃは、災害信号を受信する。制御部７ｅは、当該乗場行先階入力装置７の動作モードを災害モードに移行する。制御部７ｅは、エレベーターが利用できないことを示す情報を報知部７ｄに報知させる。例えば、制御部７ｅは、「Ｏｕｔ  ｏｆ  Ｓｅｒｖｉｃｅ」との文字情報を報知部７ｄに表示させる。
【００３３】
この状態において、情報入力部７ａが情報の入力の受け付けを開始した際、制御部７ｅは、当該乗場３においてエレベーターの戸開を促す信号を信号送信部７ｂに送信させる。例えば、避難階に駆けつけた消防士が情報入力部７ａにより情報の入力を開始した際、制御部７ｅは、当該乗場３においてエレベーターの戸開を促す信号を信号送信部７ｂに送信させる。
【００３４】
制御システム９において、信号受信部９ｂは、当該乗場行先階入力装置７から当該乗場３においてエレベーターの戸開を促す信号を受信する。制御部９ｄは、避難階においてかごドア６と当該かごドア６に対応した乗場ドア５とを閉じた状態で待機しているかご４の当該かごドア６と当該乗場ドア５とを予め設定された時間だけ開く。例えば、図１においては、制御部９ｄは、避難階においてかごドア６と当該かごドア６に対応した乗場ドア５とを閉じた状態で待機している中央のかご４の当該かごドア６と当該乗場ドア５とを予め設定された時間だけ開く。なお、当該避難階で戸閉待機しているかご４が複数台ある場合は、各かご４のかごドア６と当該かごドア６に対応した乗場ドア５とを、予め設定された時間だけ開く。
【００３５】
この際、消防士は、利用者が当該かご４に閉じ込められていないことを確認する。その後、制御部９ｄは、当該かごドア６と当該乗場ドア５とを閉じて当該かご４を避難階で待機させる。
【００３６】
これに対し、制御部９ｄは、避難階に到着していないかご４のかごドア６と当該かごドア６に対応した乗場ドア５とを開かない。
【００３７】
なお、避難階においてかごドア６と当該かごドア６に対応した乗場ドア５とを閉じた状態で待機しているかご４において、かご操作盤８の戸開釦８ｂが押された際、制御部９ｄは、当該かごドア６と当該かごドア６に対応した乗場ドア５とを開く。このため、避難階においてかご４内に利用者が取り残された場合であっても、利用者が自らかご４から脱出することもできる。
【００３８】
次に、図２を用いて、避難階の乗場行先階入力装置７の例を説明する。
図２はこの発明の実態の形態１におけるエレベーターシステムの乗場行先階入力装置の構成図である。
【００３９】
図２に示されるように、乗場行先階入力装置７は、インターフェース１１ａとテンキー釦１１ｂと身障者用釦１１ｃと読取器１１ｄとマイク１１ｅとディスプレイ１１ｆとスピーカ１１ｇと制御基板１１ｈとを備える。
【００４０】
インターフェース１１ａは、図１の信号送信部７ｂおよび信号受信部７ｃとして機能する。インターフェース１１ａは、制御システム１２へ信号を送信するため、および制御システム１２からの信号を受信するために設けられる。
【００４１】
テンキー釦１１ｂは、図１の情報入力部７ａとして機能する。テンキー釦１１ｂは、０から９の数字に対応した複数の釦を備える。
【００４２】
身障者用釦１１ｃは、図１の情報入力部７ａとして機能する。身障者用釦１１ｃは、エレベーターの利用者が身障者である場合に当該身障者が押すために設けられる。
【００４３】
読取器１１ｄは、図１の情報入力部７ａとして機能する。読取器１１ｄは、図示されないタグから識別情報を読み取るために設けられる。例えば、読取器１１ｄは、ＲＦＩＤリーダである。
【００４４】
マイク１１ｅは、図１の情報入力部７ａとして機能する。マイク１１ｅは、音声情報の入力を受け付けるために設けられる。
【００４５】
ディスプレイ１１ｆは、図１の報知部７ｄとして機能する。ディスプレイ１１ｆは、行先階等の情報を表示するために設けられる。
【００４６】
スピーカ１１ｇは、図１の報知部７ｄとして機能する。スピーカ１１ｇは、行先階等の情報を音声出力するために設けられる。
【００４７】
制御基板１１ｈは、図１の制御部７ｅとして機能する。制御基板１１ｈは、乗場行先階入力装置７の動作を全体的に制御する。制御基板１１ｈは、乗場行先階入力装置７の動作モードに応じて異なる制御を行う。
【００４８】
例えば、乗場行先階入力装置７の動作モードが平常モードの場合、制御基板１１ｈは、テンキー釦１１ｂのいずれか１つの釦が押された後に、予め設定された時間が経過する前に再びいずれかの釦が押されるか否かを判定する。テンキー釦１１ｂのいずれか１つの釦が押された後に再びいずれかの釦が押されることなく予め設定された時間だけ経過した際、制御基板１１ｈは、押された釦に対応した１桁の数に対応した行先階を示す信号を、インターフェース１１ａを介して送信する。テンキー釦１１ｂのいずれかの１つの釦が押された後に予め設定された時間だけ経過する前にいずれかの釦が押された際、制御基板１１ｈは、押された２つの釦に対応した２桁の数に対応した行先階を示す信号を、インターフェース１１ａを介して送信する。例えば、乗場行先階入力装置７の動作モードが災害モードである場合、制御基板１１ｈは、テンキー釦１１ｂのいずれか１つの釦が押された後すぐに、予め設定された時間だけ経過するのを待たずに当該乗場３においてエレベーターの戸開を促す信号をインターフェース１１ａを介して送信する。
【００４９】
例えば、乗場行先階入力装置７の動作モードが平常モードの場合、制御基板１１ｈは、身障者用釦１１ｃが押された後にテンキー釦１１ｂが押された際に身障者の行先階を示す信号を、インターフェース１１ａを介して送信する。例えば、乗場行先階入力装置７の動作モードが災害モードである場合、制御基板１１ｈは、身障者用釦１１ｃが押された際にすぐに乗場３においてエレベーターの戸開を促す信号を、インターフェース１１ａを送信する。
【００５０】
例えば、乗場行先階入力装置７の動作モードが平常モードの場合、制御基板１１ｈは、読取器１１ｄがタグから識別情報を読み取った際に当該識別情報に対応した行先階を示す信号を、インターフェース１１ａを介して送信する。例えば、乗場行先階入力装置７の動作モードが災害モードである場合、制御基板１１ｈは、読取器１１ｄがタグから消防士の識別情報を読み取った際にすぐに、乗場３においてエレベーターの戸開を促す信号を、インターフェース１１ａを介して送信する。
【００５１】
例えば、乗場行先階入力装置７の動作モードが平常モードの場合、制御基板１１ｈは、マイク１１ｅが行先階の音声情報の入力を受け付けた際に当該行先階を示す信号を、インターフェース１１ａを介して送信する。例えば、乗場行先階入力装置７の動作モードが災害モードである場合、制御基板１１ｈは、マイク１１ｅが音声情報の入力の受け付けを開始した際にすぐに、乗場３においてエレベーターの戸の全開を促す信号を、インターフェース１１ａを介して送信する。
【００５２】
次に、図３を用いて、制御システム９を説明する。
図３はこの発明の実態の形態１におけるエレベーターシステムの制御システムの構成図である。
【００５３】
図３に示されるように、制御システム９は、受信装置１２ａと複数のかご制御装置１２ｂと群管理装置１２ｃとを備える。
【００５４】
受信装置１２ａは、図１の検出部９ａとして機能する。受信装置１２ａは、監視装置１０から（災害管制運転時は災害検出器１から）災害情報を受信するために設けられる。
【００５５】
複数のかご制御装置１２ｂは、図１の制御部９ｄの一部として機能する。複数のかご制御装置１２ｂの各々は、複数のかご４の各々を制御するために設けられる。
【００５６】
群管理装置１２ｃは、図１の信号受信部９ｂ、信号送信部９ｃ、および制御部９ｄの一部、として機能する。群管理装置１２ｃは、乗場行先階入力装置７からの信号を、かご制御装置１２ｂを介して受信するために設けられる。また、群管理装置１２ｃは、乗場行先階入力装置７へ信号を送信するために設けられる。また、群管理装置１２ｃは、複数のかご制御装置１２ｂを制御するために設けられる。
【００５７】
次に、図４を用いて、乗場行先階入力装置７の動作の概要を説明する。
図４はこの発明の実態の形態１におけるエレベーターシステムの乗場行先階入力装置の動作の概要を説明するフローチャートである。
【００５８】
ステップＳ１では、乗場行先階入力装置７は、災害信号を受信したか否かを判定する。
【００５９】
ステップＳ１で乗場行先階入力装置７が災害信号を受信していない場合、乗場行先階入力装置７は、ステップＳ２の動作を行う。
【００６０】
ステップＳ２では、乗場行先階入力装置７は、行先階の情報の入力を受け付けたか否かを判定する。
【００６１】
ステップＳ２で乗場行先階入力装置７が行先階の情報の入力を受け付けていない場合、乗場行先階入力装置７は、再びステップＳ１の動作を行う。ステップＳ２で乗場行先階入力装置７が行先階の情報の入力を受け付けた場合、乗場行先階入力装置７は、ステップＳ３の動作を行う。
【００６２】
ステップＳ３では、乗場行先階入力装置７は、当該行先階に対応した行先呼びの信号を送信する。
【００６３】
その後、乗場行先階入力装置７は、ステップＳ４の動作を行う。ステップＳ４では、乗場行先階入力装置７は、当該行先呼びが割り当てられたかご４の情報を報知する。その後、乗場行先階入力装置７は、再びステップＳ１の動作を行う。
【００６４】
ステップＳ１で乗場行先階入力装置７が災害信号を受信した場合、乗場行先階入力装置７は、ステップＳ５の動作を行う。
【００６５】
ステップＳ５では、乗場行先階入力装置７は、エレベーターが利用できないことを示す情報を報知する。その後、乗場行先階入力装置７は、ステップＳ６の動作を行う。ステップＳ６では、乗場行先階入力装置７は、災害信号の受信を継続しているか否かを判定する。
【００６６】
ステップＳ６で災害信号の受信の継続が途切れている場合、乗場行先階入力装置７は、ステップＳ１の動作を行う。ステップＳ６で災害信号の受信が継続されている場合、乗場行先階入力装置７は、ステップＳ７の動作を行う。ステップＳ７では、乗場行先階入力装置７は、情報の入力の受け付けを開始したか否かを判定する。
【００６７】
ステップＳ７で乗場行先階入力装置７が情報の入力の受け付けを開始していない場合、乗場行先階入力装置７は、ステップＳ５の動作を行う。ステップＳ７で乗場行先階入力装置７が情報の入力の受け付けを開始した場合、乗場行先階入力装置７は、ステップＳ８の動作を行う。
【００６８】
ステップＳ８では、乗場行先階入力装置７は、避難階の乗場３においてエレベーターの戸開を促す信号を、制御システム９へ送信する。その後、乗場行先階入力装置７は、再びステップＳ１の動作を行う。
【００６９】
次に、図５を用いて、制御システム９の動作の概要を説明する。
図５はこの発明の実態の形態１におけるエレベーターシステムの制御システムの動作の概要を説明するためのフローチャートである。
【００７０】
ステップＳ１１では、制御システム９は、災害情報を受信したか否かを判定する。
【００７１】
ステップＳ１１で制御システム９が災害情報を受信していない場合、制御システム９は、ステップＳ１２の動作を行う。
【００７２】
ステップＳ１２では、制御システム９は、行先呼びの信号を受信したか否かを判定する。
【００７３】
ステップＳ１２で制御システム９が行先呼びの信号を受信していない場合、制御システム９は、再びステップＳ１１の動作を行う。ステップＳ１２で制御システム９が行先呼びの信号を受信した場合、制御システム９は、ステップＳ１３の動作を行う。
【００７４】
ステップＳ１３では、制御システム９は、当該行先呼びに割り当てるかご４を決定する。その後、制御システム９は、ステップＳ１４の動作を行う。ステップＳ１４では、制御システム９は、当該かご４を当該行先呼びに応答させる。その後、制御システム９は、再びステップＳ１１の動作を行う。
【００７５】
ステップＳ１１で制御システム９が災害情報を受信した場合、制御システム９は、ステップＳ１５の動作を行う。ステップＳ１５では、制御システム９は、かご４を避難階に向けて走行させる。その後、制御システム９は、ステップＳ１６の動作を行う。
【００７６】
ステップＳ１６では、制御システム９は、避難階の乗場行先階入力装置７に向けて災害信号を送信する。その後、制御システム９は、ステップＳ１７の動作を行う。
【００７７】
ステップＳ１７では、制御システム９は、かご４が避難階に到着したか否かを判定する。
【００７８】
ステップＳ１７でかご４が避難階に到着していない場合、制御システム９は、ステップＳ１５の動作を行う。ステップＳ１７でかご４が避難階に到着した場合、制御システム９は、ステップＳ１８に進む。
【００７９】
ステップＳ１８では、制御システム９は、避難階に到着したかご４のかごドア６と当該かごドア６に対応した乗場ドア５とを予め設定された時間だけ開く。その後、制御システム９は、ステップＳ１９の動作を行う。
【００８０】
ステップＳ１９では、制御システム９は、当該かごドア６と当該乗場ドア５とを閉じて当該かご４を待機させる。その後、制御システム９は、ステップＳ２０の動作を行う。ステップＳ２０では、制御システム９は、災害信号の受信を継続しているか否かを判定する。
【００８１】
ステップＳ２０で災害信号の受信の継続が途切れている場合、制御システム９は、ステップＳ１１の動作を行う。ステップＳ２０で災害信号の受信が継続されている場合、制御システム９は、ステップＳ２１の動作を行う。
【００８２】
ステップＳ２１では、制御システム９は、エレベーターの戸開を促す信号を受信したか否かを判定する。
【００８３】
ステップＳ２１で制御システム９がエレベーターの戸開を促す信号を受信していない場合、制御システム９は、ステップＳ２０の動作を行う。ステップＳ２１で制御システム９がエレベーターの戸開を促す信号を受信した場合、制御システム９は、ステップＳ２２の動作を行う。
【００８４】
ステップＳ２２では、制御システム９は、避難階においてかごドア６と乗場ドア５とを閉じた状態で待機しているかご４の当該かごドア６と当該乗場ドア５とを、予め設定された時間だけ開く。その後、制御システム９は、ステップＳ２３の動作を行う。ステップＳ２３では、制御システム９は、当該かごドア６と当該乗場ドア５とを閉じる。その後、制御システム９は、再び当該ステップＳ１１の動作を行う。
【００８５】
以上で説明した実施の形態１によれば、乗場行先階入力装置７の動作モードが災害モードである際に、避難階に設置された乗場行先階入力装置７が情報の入力の受け付けを開始した際、乗場行先階入力装置７は、避難階の乗場３においてエレベーターの戸開を促す信号を送信する。このため、災害時に避難階で戸閉待機しているかご４に利用者が閉じ込められているか否かを容易に確認することができる。
【００８６】
例えば、乗場行先階入力装置７の動作モードが災害モードである場合、制御基板１１ｈは、テンキー釦１１ｂのいずれかの１つの釦が押された後に予め設定された時間だけ経過する前にすぐに乗場３においてエレベーターの戸開を促す信号を、インターフェース１１ａを介して送信する。このため、災害時に避難階で戸閉待機しているかご４に利用者が閉じ込められているか否かをすぐに確認することができる。
【００８７】
例えば、乗場行先階入力装置７の動作モードが災害モードである場合、制御基板１１ｈは、身障者用釦１１ｃが押された際にすぐに乗場３においてエレベーターの戸開を促す信号を、インターフェース１１ａを介して送信する。このため、災害時に避難階で戸閉待機しているかご４に利用者が閉じ込められているか否かをすぐに確認することができる。
【００８８】
例えば、乗場行先階入力装置７の動作モードが災害モードである場合、制御基板１１ｈは、読取器１１ｄがタグから消防士の識別情報を読み取った際にすぐに乗場３においてエレベーターの戸開を促す信号を、インターフェース１１ａを介して送信する。このため、災害時に避難階で戸閉待機しているかご４に利用者が閉じ込められているか否かをすぐに確認することができる。
【００８９】
例えば、乗場行先階入力装置７の動作モードが災害モードである場合、制御基板１１ｈは、マイク１１ｅが音声情報の入力の受け付けを開始した際にすぐに乗場３においてエレベーターの戸の全開を促す信号を、インターフェース１１ａを介して送信する。このため、災害時に避難階で戸閉待機しているかご４に利用者が閉じ込められているか否かをすぐに確認することができる。
【００９０】
具体的には、乗場行先階入力装置７が情報の入力の受け付けを開始することにより当該エレベーターの戸の全開を促す信号を送信した場合に、制御基板１１ｈは、避難階で戸閉待機しているかご４のかごドア６と当該かごドア６に対応した乗場ドア５とを全開させる。このため、災害時に避難階で戸閉待機しているかご４に利用者が閉じ込められているか否かをより確実に確認することができる。
【００９１】
また、乗場行先階入力装置７が情報の入力を受け付けていることにより乗場３においてエレベーターの戸開を促す情報を送信している場合に、避難階で戸閉待機しているかご４のかごドア６と当該かごドア６に対応した乗場ドア５とを開く方向に動作させ、乗場行先階入力装置７が情報の入力を受け付けなくなることにより乗場３においてエレベーターの戸開を促す信号の送信を停止している場合は、避難階で戸閉待機しているかご４のかごドア６と当該かごドア６に対応した乗場ドア５とを閉じる方向に動作させてもよい。この場合、災害時に避難階で戸閉待機しているかご４に利用者が閉じ込められているか否かを確認した後すぐに当該かご４を戸閉待機させることができる。
【００９２】
また、ここまでは複数の昇降路２をそれぞれ移動する複数のかご４が存在する場合を説明したが、昇降路２が１つであって１つのかご４のみが存在するエレベーターに対し、実施の形態１の制御システム９を適用してもよい。この場合、かご制御装置１２ｂが検出部９ａと信号受信部９ｂと信号送信部９ｃと制御部９ｄとの機能をかご制御装置１２ｂで実現すればよい。この場合も、災害時に避難階で戸閉待機しているかご４に利用者が閉じ込められているか否かを容易に確認することができる。
【００９３】
次に、図６を用いて、制御基板１１ｈの例を説明する。
図６はこの発明の実態の形態１におけるエレベーターシステムの乗場行先階入力装置の制御基板のハードウェア構成図である。
【００９４】
制御基板１１ｈの各機能は、処理回路により実現し得る。例えば、処理回路は、少なくとも１つのプロセッサ１３ａと少なくとも１つのメモリ１３ｂとを備える。例えば、処理回路は、少なくとも１つの専用のハードウェア１４を備える。
【００９５】
処理回路が少なくとも１つのプロセッサ１３ａと少なくとも１つのメモリ１３ｂとを備える場合、制御基板１１ｈの各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１３ｂに格納される。少なくとも１つのプロセッサ１３ａは、少なくとも１つのメモリ１３ｂに記憶されたプログラムを読み出して実行することにより、制御基板１１ｈの各機能を実現する。少なくとも１つのプロセッサ１３ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ１３ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００９６】
処理回路が少なくとも１つの専用のハードウェア１４を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、制御基板１１ｈの各機能は、それぞれ処理回路で実現される。例えば、制御基板１１ｈの各機能は、まとめて処理回路で実現される。
【００９７】
制御基板１１ｈの各機能について、一部を専用のハードウェア１４で実現し、他部をソフトウェアまたはファームウェアで実現してもよい。例えば、ディスプレイ１１ｆの表示を制御する機能については専用のハードウェア１４としての処理回路で実現し、ディスプレイ１１ｆの表示を制御する機能以外の機能については少なくとも１つのプロセッサ１３ａが少なくとも１つのメモリ１３ｂに格納されたプログラムを読み出して実行することにより実現してもよい。
【００９８】
このように、処理回路は、ハードウェア１４、ソフトウェア、ファームウェア、またはこれらの組み合わせで制御基板１１ｈの各機能を実現する。
【００９９】
図示されないが、かご制御装置１２ｂの各機能も、制御基板１１ｈの処理回路と同等の処理回路で実現される。群管理装置１２ｃの各機能も、制御基板１１ｈの処理回路と同等の処理回路で実現される。
【０１００】
なお、群管理装置１２ｃと複数のかご制御装置１２ｂの各機能をまとめて同じ処理回路で実現してもよい。
【産業上の利用可能性】
【０１０１】
以上のように、この発明に係るエレベーターの乗場行先階入力装置、エレベーターの制御システムおよびエレベーターシステムは、災害時に避難階で戸閉待機しているかごに利用者が閉じ込められているか否かを容易に確認するシステムに利用できる。
【符号の説明】
【０１０２】
１  災害検出器、  ２  昇降路、  ３  乗場、  ４  かご、  ５  乗場ドア、  ６  かごドア、  ７  乗場行先階入力装置、  ７ａ  情報入力部、  ７ｂ  信号送信部、  ７ｃ  信号受信部、  ７ｄ  報知部、  ７ｅ  制御部、  ８  かご操作盤、  ８ａ  戸閉釦、  ８ｂ  戸開釦、  ９  制御システム、  ９ａ  検出部、  ９ｂ  信号受信部、  ９ｃ  信号送信部、  ９ｄ  制御部、  １０  監視装置、  １１ａ  インターフェース、  １１ｂ  テンキー釦、  １１ｃ  身障者用釦、  １１ｄ  読取器、  １１ｅ  マイク、  １１ｆ  ディスプレイ、  １１ｇ  スピーカ、  １１ｈ  制御基板、  １２ａ  受信装置、  １２ｂ  かご制御装置、  １２ｃ  群管理装置、  １３ａ  プロセッサ、  １３ｂ  メモリ、  １４  ハードウェア
【図１】
2019064371.tif 000003
【図２】
2019064371.tif 000004
【図３】
2019064371.tif 000005
【図４】
2019064371.tif 000006
【図５】
2019064371.tif 000007
【図６】
2019064371.tif 000008
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
エレベーターが設けられた建築物の災害時の避難階として設定された階において前記エレベーターの乗場に設けられ、外部からの情報の入力を受け付ける情報入力部と、
前記エレベーターの制御システムに信号を送信する信号送信部と、
動作モードが前記建築物の災害情報に基づいた災害モードでない場合は前記情報入力部が前記エレベーターの行先階の情報の入力を受け付けた際に前記行先階を示す信号を前記信号送信部に送信させ、動作モードが前記災害モードである場合は前記情報入力部が情報の入力の受け付けを開始した際に前記乗場において前記エレベーターの戸開を促す信号を前記信号送信部に送信させる制御部と、
を備え、
前記情報入力部は、数字に対応したテンキー釦を備え、
前記制御部は、動作モードが前記災害モードでない場合は前記テンキー釦のいずれかの１つの釦が押された後に再びいずれかの釦が押されることなく予め設定された時間だけ経過した際に押された釦に対応した１桁の数に対応した行先階を示す信号を前記信号送信部に送信させ、動作モードが前記災害モードである場合は前記テンキー釦のいずれかの１つの釦が押された後に予め設定された時間だけ経過する前に前記乗場において前記エレベーターの戸開を促す信号を前記信号送信部に送信させるエレベーターの乗場行先階入力装置。
【請求項２】
前記情報入力部は、前記エレベーターの利用者が身障者である場合に当該身障者が押す身障者用釦を備え、
前記制御部は、動作モードが前記災害モードでない場合は前記身障者用釦が押された後に前記テンキー釦が押された際に身障者の行先階を示す信号を前記信号送信部に送信させ、動作モードが前記災害モードである場合は前記身障者用釦が押された際に前記乗場において前記エレベーターの戸開を促す信号を前記信号送信部に送信させる請求項１に記載のエレベーターの乗場行先階入力装置。
【請求項３】
エレベーターが設けられた建築物の災害時の避難階として設定された階において前記エレベーターの乗場に設けられ、外部からの情報の入力を受け付ける情報入力部と、
前記エレベーターの制御システムに信号を送信する信号送信部と、
動作モードが前記建築物の災害情報に基づいた災害モードでない場合は前記情報入力部が前記エレベーターの行先階の情報の入力を受け付けた際に前記行先階を示す信号を前記信号送信部に送信させ、動作モードが前記災害モードである場合は前記情報入力部が情報の入力の受け付けを開始した際に前記乗場において前記エレベーターの戸開を促す信号を前記信号送信部に送信させる制御部と、
を備え、
前記情報入力部は、タグからの識別情報を読み取る読取器を備え、
前記制御部は、動作モードが前記災害モードでない場合は前記読取器がタグから識別情報を読み取った際に当該識別情報に対応した行先階を示す信号を前記信号送信部に送信させ、動作モードが前記災害モードである場合は前記読取器がタグから消防士の識別情報を読み取った際に前記乗場において前記エレベーターの戸開を促す信号を前記信号送信部に送信させるエレベーターの乗場行先階入力装置。
【請求項４】
前記制御部は、動作モードが前記災害モードである場合に、前記情報入力部が情報の入力の受け付けを開始した際に前記乗場において前記エレベーターの戸の全開を促す信号を前記信号送信部に送信させる請求項１から請求項３のいずれか一項に記載のエレベーターの乗場行先階入力装置。
【請求項５】
エレベーターが設けられた建築物の災害時の避難階として設定された階において前記エレベーターの乗場に設けられ、外部からの情報の入力を受け付ける情報入力部と、
前記エレベーターの制御システムに信号を送信する信号送信部と、
動作モードが前記建築物の災害情報に基づいた災害モードでない場合は前記情報入力部が前記エレベーターの行先階の情報の入力を受け付けた際に前記行先階を示す信号を前記信号送信部に送信させ、動作モードが前記災害モードである場合は前記情報入力部が情報の入力の受け付けを開始した際に前記乗場において前記エレベーターの戸開を促す信号を前記信号送信部に送信させる制御部と、
を備え、
前記制御部は、動作モードが前記災害モードである場合に、前記情報入力部が情報の入力を受け付けている間は前記乗場において前記エレベーターの戸開を促す情報を前記信号送信部に送信させ、前記情報入力部が情報の入力を受け付けなくなった際に前記乗場において当該エレベーターの戸開を促す情報の送信を前記信号送信部に停止させるエレベーターの乗場行先階入力装置。
【請求項６】
エレベーターが設けられた建築物の災害時の避難階として設定された階において前記エレベーターの乗場に設けられた乗場行先階入力装置の動作モードが前記建築物の災害情報に基づいて災害モードである状態において、前記乗場行先階入力装置が情報の入力の受け付けを開始することにより前記乗場において前記エレベーターの戸開を促す信号を送信した場合に、前記エレベーターのかごが前記乗場において戸閉待機している際は、前記乗場において前記エレベーターを戸開させる制御部、
を備え、
前記制御部は、前記乗場行先階入力装置が情報の入力を受け付けていることにより前記乗場において前記エレベーターの戸開を促す情報を送信している場合に、当該エレベーターの戸を開く方向に動作させ、前記乗場行先階入力装置が情報の入力を受け付けなくなることにより前記乗場において前記エレベーターの戸開を促す信号の送信を停止している場合は、当該エレベーターの戸を閉じる方向に動作させるエレベーターの制御システム。
【手続補正３】
【補正対象書類名】明細書
【補正対象項目名】０００１
【補正方法】変更
【補正の内容】
【０００１】
この発明は、エレベーターの乗場行先階入力装置、エレベーターの制御システムに関する。
【手続補正４】
【補正対象書類名】明細書
【補正対象項目名】０００５
【補正方法】変更
【補正の内容】
【０００５】
この発明は、上述の課題を解決するためになされた。この発明の目的は、災害時に避難階で戸閉待機しているかごに利用者が閉じ込められているか否かを容易に確認することができるエレベーターの乗場行先階入力装置、エレベーターの制御システムを提供することである。
【手続補正５】
【補正対象書類名】明細書
【補正対象項目名】０００６
【補正方法】変更
【補正の内容】
【０００６】
この発明に係るエレベーターの乗場行先階入力装置は、エレベーターが設けられた建築物の災害時の避難階として設定された階において前記エレベーターの乗場に設けられ、外部からの情報の入力を受け付ける情報入力部と、前記エレベーターの制御システムに信号を送信する信号送信部と、動作モードが前記建築物の災害情報に基づいた災害モードでない場合は前記情報入力部が前記エレベーターの行先階の情報の入力を受け付けた際に前記行先階を示す信号を前記信号送信部に送信させ、動作モードが前記災害モードである場合は前記情報入力部が情報の入力の受け付けを開始した際に前記乗場において前記エレベーターの戸開を促す信号を前記信号送信部に送信させる制御部と、を備え、前記情報入力部は、数字に対応したテンキー釦を備え、前記制御部は、動作モードが前記災害モードでない場合は前記テンキー釦のいずれかの１つの釦が押された後に再びいずれかの釦が押されることなく予め設定された時間だけ経過した際に押された釦に対応した１桁の数に対応した行先階を示す信号を前記信号送信部に送信させ、動作モードが前記災害モードである場合は前記テンキー釦のいずれかの１つの釦が押された後に予め設定された時間だけ経過する前に前記乗場において前記エレベーターの戸開を促す信号を前記信号送信部に送信させる。
この発明に係るエレベーターの乗場行先階入力装置は、エレベーターが設けられた建築物の災害時の避難階として設定された階において前記エレベーターの乗場に設けられ、外部からの情報の入力を受け付ける情報入力部と、前記エレベーターの制御システムに信号を送信する信号送信部と、動作モードが前記建築物の災害情報に基づいた災害モードでない場合は前記情報入力部が前記エレベーターの行先階の情報の入力を受け付けた際に前記行先階を示す信号を前記信号送信部に送信させ、動作モードが前記災害モードである場合は前記情報入力部が情報の入力の受け付けを開始した際に前記乗場において前記エレベーターの戸開を促す信号を前記信号送信部に送信させる制御部と、を備え、前記情報入力部は、タグからの識別情報を読み取る読取器を備え、前記制御部は、動作モードが前記災害モードでない場合は前記読取器がタグから識別情報を読み取った際に当該識別情報に対応した行先階を示す信号を前記信号送信部に送信させ、動作モードが前記災害モードである場合は前記読取器がタグから消防士の識別情報を読み取った際に前記乗場において前記エレベーターの戸開を促す信号を前記信号送信部に送信させる。
この発明に係るエレベーターの乗場行先階入力装置は、エレベーターが設けられた建築物の災害時の避難階として設定された階において前記エレベーターの乗場に設けられ、外部からの情報の入力を受け付ける情報入力部と、前記エレベーターの制御システムに信号を送信する信号送信部と、動作モードが前記建築物の災害情報に基づいた災害モードでない場合は前記情報入力部が前記エレベーターの行先階の情報の入力を受け付けた際に前記行先階を示す信号を前記信号送信部に送信させ、動作モードが前記災害モードである場合は前記情報入力部が情報の入力の受け付けを開始した際に前記乗場において前記エレベーターの戸開を促す信号を前記信号送信部に送信させる制御部と、を備え、前記制御部は、動作モードが前記災害モードである場合に、前記情報入力部が情報の入力を受け付けている間は前記乗場において前記エレベーターの戸開を促す情報を前記信号送信部に送信させ、前記情報入力部が情報の入力を受け付けなくなった際に前記乗場において当該エレベーターの戸開を促す情報の送信を前記信号送信部に停止させる。
【手続補正６】
【補正対象書類名】明細書
【補正対象項目名】０００７
【補正方法】変更
【補正の内容】
【０００７】
この発明に係るエレベーターの制御システムは、エレベーターが設けられた建築物の災害時の避難階として設定された階において前記エレベーターの乗場に設けられた乗場行先階入力装置の動作モードが前記建築物の災害情報に基づいて災害モードである状態において、前記乗場行先階入力装置が情報の入力の受け付けを開始することにより前記乗場において前記エレベーターの戸開を促す信号を送信した場合に、前記エレベーターのかごが前記乗場において戸閉待機している際は、前記乗場において前記エレベーターを戸開させる制御部、を備え、前記制御部は、前記乗場行先階入力装置が情報の入力を受け付けていることにより前記乗場において前記エレベーターの戸開を促す情報を送信している場合に、当該エレベーターの戸を開く方向に動作させ、前記乗場行先階入力装置が情報の入力を受け付けなくなることにより前記乗場において前記エレベーターの戸開を促す信号の送信を停止している場合は、当該エレベーターの戸を閉じる方向に動作させる。
【手続補正７】
【補正対象書類名】明細書
【補正対象項目名】０００８
【補正方法】削除
【補正の内容】
【国際調査報告】
2019064371.tif 000009
2019064371.tif 000010
2019064371.tif 000011
2019064371.tif 000012